(57)【要約】      （修正有）【課題】部分床入れ歯のクラスプを提供する。【解決手段】合成樹脂床部分入れ歯用クラスプ鉤腕部新素材であるチタンモリブデンスズワイヤーの弾性係数が極めて低く高強度を示す特性から、歯牙隣在歯同士の歯冠歯列間隙同士の峡部３を揺動させることが出来るため、このワイヤーの先端部に長楕円球状部１９を取付け隣接歯牙歯根同士の間隙２０で封止させることによって部分床義歯の安定維持を計ることが出来る。また、従来材による該牙支持組織を破壊していた従来型クラスプの課題を解決させることが出来る。【選択図】図１３
2016214811.tif 000002
【特許請求の範囲】
【請求項１】
直径０，５ｍｍから０．８ｍｍの範囲にあるチタンモリブデンスズの金属元素からなる合金ワイヤーの一端に長さ１，４ｍｍから１．８ｍｍの範囲にあって、最大豊隆径２．０ｍｍのＣＰチタン材製の長楕円球状部を、長軸方向をワイヤーの向く方向に沿って、取り付けた長さ５０ｍｍから１００ｍｍの範囲にある該長楕円球状部を該ワイヤーに取付けた該低弾性係数高強度ワイヤークラスプ部材
【請求項２】
直径０，５ｍｍから０．８ｍｍの範囲にあるチタンモリブデンスズの成分からなる合金ワイヤーの一端に長さ１，４ｍｍから１．８ｍｍの範囲にあって、最大豊隆径２．０ｍｍの合成樹脂製の長楕円球状部を、長軸方向をワイヤーの向く方向に沿って、長さ５０ｍｍから１００ｍｍの範囲にある該ワイヤーに取付けた該低弾性係数高強度ワイヤークラスプ部材
【請求項３】
直径０，５ｍｍから０．８ｍｍの範囲にあるチタンモリブデンスズの成分からなる合金ワイヤーの一端に長さ１，４ｍｍから１．８ｍｍの範囲にあって、最大豊隆径２．０ｍｍのＣＰチタン材製の長楕円球状部を、長軸方向をワイヤーの向く方向に沿って、長さ５０ｍｍから１００ｍｍの範囲にある該ワイヤーにチタン精密溶接機を用いて、溶け込み溶接して取付けた該低弾性係数高強度ワイヤークラスプ部材
【請求項４】
直径０，５ｍｍから０．８ｍｍの範囲にあるチタンモリブデンスズの成分からなる合金ワイヤーの一端に長さ１，４ｍｍから１．８ｍｍの範囲にあって、最大豊隆径２．０ｍｍの金銅合金製の長楕円球状部を、長軸方向をワイヤーの向く方向に沿って、長さ５０ｍｍから１００ｍｍの範囲にある該ワイヤーに継手溶接して取付けた該低弾性係数高強度ワイヤークラスプ部材
【請求項５】
直径０，５ｍｍから０．８ｍｍの範囲にあるチタンモリブデンスズの成分からなる合金ワイヤーの一端に長さ１，４ｍｍから１．８ｍｍの範囲にあって、最大豊隆径２，０ｍｍの金銅合金製の長楕円球状部を、長軸方向をワイヤーの向く方向に沿って、長さ５０ｍｍから１００ｍｍの範囲にある該ワイヤーに，Ｎｄ−ＹＡＧチタンレーザー溶接機を用いて継手溶接或いは溶け込み溶接を用いて取付けた該低弾性係数高強度ワイヤークラスプ部材
【発明の詳細な説明】
【技術分野】
【０００１】歯科医療分野における部分床入れ歯のクラスプに関するものである。
【背景技術】
【０００２】  歯科医療補綴分野の合成樹脂床部分入れ歯には残存歯牙にクラスプを付し入れ歯の係止作用の役目を担わせているが、このクラスプ材料には、高弾性係数低引張強度材料である鉄コバルトクロムワイヤーや金合金、白金合金ワイヤー（１）が従来、用いられてきた。これらの材料のバネ材としての性能はクラスプとしての要求を満たすには程遠くこのクラスプを掛けた歯牙の寿命を短縮させていた。【０００３】  我が国では超高齢化社会を迎え、超高齢者の摂食機能の維持保全が強く求められている。本発明は歯科補綴分野の部分入れ歯の従来型クラスプ形体（図１）に代わる新素材応用形体に関する。
【先行技術文献】
【０００４】  上記著作者らは斯界を代表する学者で大学教授であるが、パーシアルデンチャーすなわち部分床入れ歯のクラスプ材料となる画期的な新素材である低弾性係数高引張強度があるチタンモリブデンスズワイヤー材（２）については、この書では取り上げていない。
【非特許文献】
【非特許文献】野首考嗣、五十嵐順正箸、クイントエッセンス社出版、現代のパーシアルデンチャー・欠損補綴の資料、２００４年８月
【０００５】  従来のクラスプ材料は他種金属合金が用いられてきた。これらの金属とクラスプ材料としての重要な要件となる、弾性係数、引張強度をメーカー名とともに引用し、提示したい（図２）。
【発明の概要】
【０００６】  これらの高弾性係数低引張強度材料である鉄コバルトクロムあるいは金合金、白金加金などの旧材料に代わり、低弾性係数高引張強度特性を示すチタンモリブデンスズからなるワイヤー（２）新素材が登場し、医薬品医療機器総合機構より医療材料として承認を取得し発売された。この従来材には類を見ない新素材の低弾性高引張強度特性を活かして、直径０，７ｍｍの細いワイヤーを用いて本発明品に仕立てると、歯牙隣在歯同士の歯冠歯列間隙同士の峡部（３）で揺動させることが可能となり、従来型のクラスプの性能に無い画期的なクラスプにすることを最も主要な特徴とすることが出来る（図３）。
【発明が解決しようとする課題】
【０００７】  低弾性係数高強度特性を有する新素材が登場するまでは、クラスプとしての性能を満たすには不充分な旧來材料ワイヤー（１）の高弾性係数低強度特性を補うため、前世期初頭から今世紀にわたり、応用するクラスプの対象歯牙種が前歯用、犬歯用、臼歯用などと、また、対象症例の歯牙の欠損部が、すなわち前歯部であるか臼歯部であるかによって、或いは機能性を重視した形体か、機能性とともに審美性回復を加味した形体かなどによって約２０種類のクラスプが考案されてきた（図４）。【０００８】  人類の歯牙の形体を比較解剖学的に考察すると、人類の摂食対象物が雑食性であるため前歯、犬歯、小臼歯、大臼歯など形体的に分化し、それぞれの歯種が接食食物に対応した形体に進化してきた。すなわち前歯は切断し摂取する機能を、犬歯は咬み砕く機能を、臼歯は噛み潰す機能などとそれぞれの役割を分担し、それに応じて形体も機能に適応している。このため従来型のクラスプは、応用する歯牙種に応じて、前歯用、犬歯用、臼歯用などとその歯種に応じて、また歯牙の欠損形体に対応して多くの種類（図４）が開発されてきた。【０００９】  以下、（図１）を用いて従来の欠損歯牙部分を補綴するための従来型ワイヤークラスプ付き合成樹脂床入れ歯について説明する。従来の欠損歯牙部を補綴する合成樹脂床に取り付けられていたクラスプは該患者さんの口腔内に残っている歯牙に入れ歯を係止させる役目を担わせていたが、この従来型の製作材料には高弾性係数低強度鉄クロムニッケル合金ワイヤー（１）類や同じく貴金属材料からなるワイヤー材などを歯科技工士が直接手つくり作業で、該歯牙を複製した石膏模型に合わせて、従来型素材のワイヤーを屈曲させるなどとしてクラスプ鉤腕部を製作していた。（図５）【００１０】  他方では金パラジウム合金材を用いて精密鋳造法（図６）により鉤体部（８）を鋳造し、この鉤体部に嵌め込み溝（９）を立接して、この嵌め込み溝に該高弾性係数低強度鉄クロムニッケル合金ワイヤー（１）などの製品を嵌め込み、両部材を火焔溶接（１０）により一体化（１１）させて、こうして出来たクラスプ部分を合成樹脂床部分に埋め込むことにより、両部との接合を図るなど複雑な工程を、歯科技工士は終始手つくり作業により製作してきた（図７）。【００１１】  部分床入れ歯を口腔内の定位置に係止する機能を果たすクラスプ材として、性能的な問題はコバルトクロム合金ワイヤーの低値の引張強度を補うため、直径１，２ｍｍ以上の太いワイヤーを使わざるを得ない状況下におかれていた。歯科技工士が手づくり作業で屈曲している（図５）ため、これらの数値以下の細いワイヤーを応用すると、これらのいずれの従来材も素材自身の性能不足から屈曲作業中に高頻度で折損させてしまうからである。【００１２】  本発明は超高齢社会化とともに生活の質を維持する上で重要な器官である、歯牙の欠損症に応用され入れ歯修復のニーズに応える部分入れ歯のクラスプ部材に関する。この部分入れ歯の主要部材として従来材製の鉄コバルトクロム合金ワイヤークラスプ（１）が永年にわたり用いられてきた。手づくり作業で行う、この屈曲作業の折損事故を防ぐには金合金材のワイヤーや、白金加金ワイヤーが望まれたが、これらは貴金属材料であって、患者さんが負担する治療費に跳ね返るため、歯科医療機器市場から見た全体の使用量はごく限られている。【００１３】  しかし、貴金属製合金ワイヤーを含めたこれらの従来型材料はバネ材としての性能は不十分で、この材料を用いて製作されたクラスプを応用した部分入れ歯（図１）を装着した患者さんの多くは、このクラスプ材の高い弾性係数により、このクラスプをかけた歯牙の多くが、当該歯牙支持組織（１２）を損ねるため、該入れ歯装着後短期間で該歯牙が抜歯の止む無きに至る症例が極めて多くなっているばかりでなく、後述する如くその一部は重篤な継発症を招いている。（図８）【００１４】  このため該患者さんは短期間に、新たに部分入れ歯の作り替えをせざるをえず、作り変えても、この作り替えた入れ歯のクラスプ（１１）も同じく、歯牙支持組織を損ね（図８）同じことの繰り返しによって、また次の歯牙を犠牲にするため、この状況の多数回の繰り返しを、緊急に解決させる必要がある。この弾性の劣るバネ材クラスプと旧来型のクラスプ形体が、短期間に多くの総入れ歯装着者（１３）を増加させている現状を招いている（図９）。【００１５】  この医療経済研究機構による統計（図９）は、歯科医療機関においておこなわれた補綴関連診療費が歯科医療保険診療請求書として社会保険庁に送られ、歯科医療機関に支払われた診療内容に関する予後成績を集計し分析したものである。統計は保険加入者全員を５歳刻みで分類し、歯科補綴物装着者を冠ブリッジ装着者（１４）、部分床入れ歯装着者（１５）、総入れ歯装着者（１３）と、それぞれの補綴種類ごとに分類し、それらの補綴種類ごとの経過を、５歳刻みで経年的に補綴物種類が変わる変化を統計的に処理し、折れ線グラフに仕立てている。
参考資料：［非特許文献］（財）医療経済研究機構  １９９８年医療経済研究報告書【００１６】  この統計によると、被保険者が３０歳代から６０歳台くらいまでの間は、歯牙欠損部に対し冠ブリッジによる補綴治療が行われているが（１４）、５０歳代から６０歳台にかけては、残存歯牙数が減少すると、冠ブリッジによる補綴処置は出来なくなるために、部分入れ歯による補綴治療に代っている（１５）。注目すべきは、この年代の部分入れ歯装着者がその後、短期間に総入れ歯装着者（１３）になっていることである。このことは、現状行われている健康保険給付型部分入れ歯は、残存歯牙寿命を保護することが出来ず、歯牙補綴治療の終末治療である総入れ歯患者を増加させていることを意味している。（図９）
【発明が解決しようとする課題】
【００１７】  加えて問題は総入れ歯装着者を増やすのみならず、従来型のクラスプ用ワイヤー材の高弾性特性と従来型クラスプの形体により、該歯牙支持組織（１２）を側方方向から激しく揺動するため、歯牙支持組織を傷め、歯牙を支えている顎骨組織の吸収を招いている。その結果、中には顎骨組織が広範に失われ、入れ歯製作困難症（図１０）を継発させている。総入れ歯製作は、歯科医師および歯科技工士が、顎骨をＵ字型に両側から挟み込む形状に仕立てることが出来ると、良好な総入れ歯に仕立てることが出来る。これに反して一旦、顎骨が吸収されてしまった症例は、入れ歯製作困難症（図１０）と称され、総入れ歯製作は極めて困難な症例を続発させている。【００１８】  従来は部分床入れ歯を口腔内で安定的して咀嚼機能や発音機能を発揮させるために、部分入れ歯にクラスプ（１１）を付設し、このクラスプを残存歯牙に掛けることによって入れ歯を、口腔内に係止させ安定して維持させようとしていた。しかし、上記したごとくこのクラスプ材料に画期的な新素材が登場する以前には、この１００年間におよそ２０種類のクラスプ形体（図４）が発表されてきた。
【発明が解決しようとする課題】
【００１９】  しかし、いずれのクラスプ形体も、これらのクラスプを製作する材料は旧来材料で高弾性係数低強度材料が採用され、クラスプ材を構成するワイヤー径は１．２ｍｍ以上の線径の太い材料が用いられていたため、ワイヤー材の高弾性特性と併せて該歯牙支持組織（１２）を傷めていた。（図８）材料学的には１，２ｍｍと云う太いワイヤー径を、径０，７ｍｍの細くても低弾性特性のあるチタンモリブデンスズ合金ワイヤー（２）新素材に代替させることにより、歯牙同士の歯冠間隙峡部を通過させ、揺動させることを可能にさせることが、発明が解決しようとする課題となっていた。【００２０】  我が国の平均寿命は、１９６０年代には男性６５歳、女性７０歳であった。しかし２０１３年の男性の平均寿命は８０歳、女性の平均寿命は８６歳となって、現在世界的にも超最高齢社会になったと云われているが、上述の如く８０歳台前半で残存歯牙数は現在１２本となっている。インプラントによる修復は極めて限られていて、我が国では大多数の人々にとっては、総入れ歯が歯牙欠損補綴物による終末処置となっている。しかし、我が国の医療保険給付制度の従来材料クラスプ付き部分入れ歯製作に頼っている患者さんの中には少なからず、将来、歯科医師や歯科技工士に極めて総入れ歯製作を困難にさせている、入れ歯製作困難症（図１０）を引き起こしている。ここに発明が解決しようとする重要な課題がある。
【課題を解決するための手段】
【００２１】  上記した如く残存歯牙に掛けたクラスプが該歯牙支持組織の顎骨組織を吸収し、総入れ歯製作に重要な顎堤（１６）と称する部分を吸収させるため、平坦化させた顎堤（図１０）になり、この問題が入れ歯製作困難症患者の増加の主因となっている。我が国の急速な超高齢社会化に健康保険給付型部分入れ歯の残存歯牙寿命の保護対策は無力で、早急にクラスプ製作用材料を旧来材料より新素材に、クラスプの形体も旧来型形体から垂直鉤（１８）に代えることが課題を解決する手段となっている。【００２２】  高弾性係数低強度鉄コバルトクロム合金ワイヤー（１）を材料にしたクラスプを用いている限り、この問題を解消させることは不可能であろう。課題を解決するための手段として部分床入れ歯のクラスプ用素材として、これまで使われてきた従来型素材に代わり低弾性係数高強度チタンモリブデンスズワイヤー素材（２）の活用法に期待がかかっている。【００２３】  このチタンモリブデンスズワイヤー（２）新素材を用いると直径０，７ｍｍの細いワイヤーをテーラーメード化させることが可能になり、従来材による直径１．２ｍｍの太いワイヤーでは通過不可能な歯牙隣在歯同士の歯冠歯列間隙同士の峡部（３）を揺動させることが出来て、歯牙歯根同士の間隙（２０）において封止させることが出来る。すなわち入れ歯の安定維持を図ることを可能にさせるとともに、従来材では不可能な特性から、新素材に代えることによって、いずれも該歯牙寿命を損ねる課題を解決させる手段とさせることが出来る（図３）。
【発明が解決しようとする課題】
【００２４】  従来材製のワイヤークラスプ材は高弾性係数低引張強度から、クラスプ材料に採用されるためには、最も細い材料でも直径１．２ｍｍ以上の製品を応用せざるを得ないため、歯牙隣在歯同士の歯冠歯列間隙同士の峡部（３）を揺動させることは不可能であった。このためこのような細い歯列間隙を揺動させる試みはこれまで一切見られていない。従来は部分床入れ歯を口腔内に安定的に維持して装着させるためには、いずれのクラスプの形体も残存歯牙の歯冠部を囲穣するか、歯冠部に支点を設置する形体に設計（図４）されている。この事が、発明が解決しようとする課題になっていた。
【発明の開示】
【００２５】  このような状況下、歯科材料供給企業である山八歯科工業株式会社が医薬品医療機器器総合機構から、歯科医療機器、部分床入れ歯用材料として承認を取得し市場化させた。申請者は同社より素材の提供を受け、この素材の特性を活かした形体すなわち垂直鉤を発明し、部分床入れ歯のクラスプに臨床応用させたところ、従来材では得られない目覚ましい臨床成果をあげることが出来た。すなわち、該クラスプを応用した該歯牙支持組織を痛めることなく守ることが可能になった。そして、該部分床入れ歯も歯牙欠損部に密着させることが出来た。
【発明が解決しようとしている課題】
【００２６】  これまでの発表されてきた従来型クラスプの形体は多い（図４）が、支点が該歯牙の歯軸から離れた歯冠部周辺にあって、作用点は該歯牙中心線から離れている歯冠部周辺にあることが多いもので占められていた。すなわち該歯牙の歯牙支持組織の側方組織に過重な負担をかけているものが多かった（図８）。上記した新素材を用いて、新たに開発した垂直鉤は応用した歯牙の歯牙組織に過重な負担を与えることの無いクラスプ形体を考案することが、発明が解決しようとしている課題となっていた。
【課題を解決するための手段】
【００２７】  このチタンモリブデンスズワイヤー新素材の市場への登場は、０，７ｍｍまで細くしても高引張強度特性から折れることが無く、かつ画期的な低弾性係数を示す特性は、該ワイヤーを歯牙隣在歯同士の歯冠歯列間隙同士の峡部（３）を揺動させることを可能にさせ、ワイヤーの先端部に装着した長楕円球状部（１９）により歯牙隣在歯同士の歯牙歯根同士の間隙（２０）を封止させて、該部分床義歯を口腔内の定位値に安定させるという課題を解決するための手段にさせることを可能にさせた。上記したごとくこのクラスプ材料に画期的な新素材が登場する以前には、この１００年間におよそ２０種類のクラスプ形体（図４）が発表されたが、このような歯牙隣在歯同士の歯牙歯根同士の間隙を封止させようとしたクラスプ形体はこれまでも、現在も類を見ないものであり、この発見が課題を解決するための手段となった。
【発明の開示】
【００２８】  これまで、いずれも歯牙隣在歯同士の歯冠歯列間隙同士の峡部（３）を垂直に通過させたクラスプは市場にもまた、文献的にも見られない。直径の太い従来材では、この歯牙隣在歯同士の歯冠歯列間隙同士の峡部（３）を揺動させることも、封止させることも出来なかったため、このことを着想する者がいなかったからである。
【発明が解決しようとしている課題】
【００２９】  歯牙欠損部を補綴することが出来て、部分入れ歯を残存歯牙歯列に該患者さんが安定して装着できて、該患者さんが取り外したいときには残存歯牙や口腔軟組織を傷めることなく直ちに取り出すことが出来る装置が求められていた。この装置は他者が観察者となって、患者さんの該歯列に装着された該開発品を観察するとき、審美的な障害となることが無い装置であることも望まれていてこの事が、発明が解決しようとしている課題となった。
【発明を実施するための最良の形体】
【００３０】  観察者が口腔内を観察するとき、患者さんの残存歯牙歯列の舌側部（２１）に該部分床入れ歯（２２）を設置し、該低弾性係数高強度チタンモリブデンスズワイヤー（２）の端部は、歯牙歯列を越えて合成樹脂床舌側部に封止（２３）させていることが多い。観察者が該ワイヤーを残存歯牙歯列の水平方向から観察するときには（図１１）、該ワイヤーは隣接歯牙同士の歯冠頂部の歯冠間隙峡部（２５）を揺動して、歯牙隣在歯同士の歯冠歯列間隙同士の峡部（３）を揺動し、歯牙歯根同士の間隙（２０）を、該ワイヤーの先端部に取り付けた長楕円球状部（１９）により封止させることが、発明を実施するための最良の形体となった。
【課題を解決するための手段】
【００３１】  該入れ歯を歯牙欠損部に装着させたい時には、該ワイヤーの先端部に取り付ける長楕円球状部で隣接歯牙歯根同士の間隙（２０）を封止させて、該ワイヤーの低弾性係数を活用し該ワイヤーを延長させる方向に引張り、該間隙に隣接歯牙歯根同士の間隙から外れていた長楕円球状部（１９）をこの間隙で係止させると、該ワイヤーは隣接歯牙歯根同士の間隙狭部で封止される。
【００３２】  しかし再度該ワイヤーを延長させる方向に引っ張ると、すなわち患者さんが該部分床入れ歯を、部分床入れ歯を支えている歯牙欠損部の軟組織受容部に力を掛けると、封止されていた該ワイヤーの先端部に取り付けられていた長楕円球状部（１９）が隣接歯牙歯根同士の間隙（２０）から外れ、封止されていた該入れ歯を容易に外すことが可能になり、課題を解決するための手段とさせることが出来る。（図３）
【発明が解決しようとしている課題】
【００３３】  我が国の青壮年層の歯周病罹患率や歯牙齲蝕率などにおいてのデーターを世界的な水準と比べると、ほぼ欧米先進国に追いつきつつある。しかし、これらの成果に比べ我が国の壮年層以上の年代の残存歯牙数については欧米先進国のそれと比較して比べものにならないほど格差が有りこの事実が、発明が解決せねばならない喫緊の課題となっている。
【００３４】  すなわち歯科医療健康保険制度下にある我が国の部分床入れ歯装着患者さんの多くは、短期間に残存歯を失い総入れ歯患者になっている（図９）。この問題は超高齢患者さんの生活の質に密接にかかわる、嚥下困難症ひいては嚥下性肺炎、胃瘻疾患等の引き金となって、これらの重症患者に対する保険金支払額は国民医療費増大を引き起こし、国家財政に深刻な課題を突き付けている。またこれらの患者さんの生活に対しても生活の質を脅かす大問題になっている。部分床入れ歯装着患者の部分床入れ歯をここで食い止め、上記した継発症などを発症しないようにすることが、発明が解決しようとしている課題にもなっている。
【発明が解決しようとする課題】
【００３５】本発明は部分入れ歯製作分野におけるクラスプ材料である商品名ネオチタンワイヤー（２）を用いて、これまでのクラスプの形体には無い、新たなクラスプ形体でその支点および作用点の両者とも当該歯牙の歯軸に一致させる設計に仕立てたもの（図３）である。従来材に無いこの設計思想により該歯牙の歯牙寿命を守るとともに、観察者の視線に対し本発明品の装着者がこうむる審美的課題等も、発明が解決しようとする課題になっている。
【００３６】  このクラスプの従来材料である、鉄コバルトクロム系合金ワイヤー素材（１）の弾性係数が高値で、かつ引張強度が低値であったのに対し、山八歯科工業株式会社製の新素材であるクラスプ用ワイヤーは弾性係数が低値で、かつ引張強度が高値なワイヤーであるＴｉ−１０Ｍｏ−９Ｓｎ（２）群が直径０，７ｍｍから、１，０ｍｍまで市販されている。本発明品はこれらの製品群の中から、歯牙解剖学的に最適な形状を選択し以下の如くの応用法を発明した。
【００３７】  山八社の製品は上記の各種すなわち最少直径０，７ｍｍより直径、０，１ｍｍ刻みの各種で断面円形の形状にしたワイヤーに仕立てている。そして、医薬品医機器総合機構に届出ている使用法欄には入れ歯のクラスプ用及び歯列矯正用とし、併用医療機器欄には矯正用医療機器材料とともに入れ歯材料と記載され、特に入れ歯の床用部材料と結合させるときには物理的に結合するようにして装置からの脱落を防止し、そして脱落した破片の誤飲を避けるように仕立てることと記載されている。
【００３８】  従来材製のクラスプは、弾性係数は高値で引張強度は低値なためバネ材としての特性が乏しかったため（図２）この材料を用いて製作されたクラスプを材料に応用したときには鉤歯の寿命を短縮させてきたが（図８）、この新素材ワイヤーの登場により、このワイヤーの特性を活かした新たなクラスプ形体が求められることになった。この状況が、発明が解決しようとする課題になった。
【産業上の利用可能性】
【００３９】  山八歯科工業株式会社製のチタン合金ワイヤー材を応用してクラスプに仕立てるためには、解決すべき課題が残されている。チタン材の加工時には、切削あるいは溶着操作などといった被削材あるいは被溶接材となるチタン材は空気中の酸素と激しく化合反応をおこすため、この課題を解決するための手段を考慮する必要があった。本開発製品の購買者対象と想定される大多数の企業が、従業員数人から１０数人の零細な規模の多い歯科技工所で、該チタン合金ワイヤー材を応用可能にさせるためには、Ｎｄ−ＹＡＧレーザー−  精密チタン溶接機（図１２）など、大型の資金投資あるいは大掛かりな機械や設備を導入させることは難しいため、この問題に対して該チタン合金ワイヤーを如何にして供給するかが産業応用上の利用可能性の課題になった。【００４０】  チタン材を加工ができる環境はアルゴン等の不活性ガス雰囲気下の施設区画とかつ高度に空気と水が清浄な環境が必要になる。しかし、歯科医院や歯科技工所においては細菌学的には滅菌環境として厳重に管理されてはいるものの、このようなチタン加工に対応した環境も機器も準備されていないため、産業上の利用可能性には課題が残されている。
【発明を実施するための手段】
【００４１】  このような理由から、あらかじめ鉤腕部（４）と鉤体部（８）を一体化させた部材を供給して、発明を実施するための手段が考えられた。すなわち、不活性ガスを備えた機器類あるいは設備を構築することなく、後加工業者すなわち歯科技工業者に、特別な機器や設備を必要としなくても済むクラスプ鉤腕部をテーラーメード部材として発明し供給することを発案した。（図３）に示す如く、直接合成樹脂床に該ワイヤーを封止させることにより鉤体部を省くことが可能になり、テーラーメード型部材として供給させ鉤腕部ワイヤーを直接、合成樹脂床部に接合可能にさせる部材に仕立てて供給することが、産業上の利用可能性を考慮しつつ、また発明を実施するための手段となった。
【発明を実施するための形体】
【００４２】  本発明は部分入れ歯のクラスプに関するものである。このため、患者さんが歯牙欠損部に該入れ歯を係止させたい時には係止できて、この入れ歯を歯牙欠損部から離脱させたい時には離脱させることが出来なければならない。それには該入れ歯の係止、離脱方向を残存歯牙の長軸方向と一致させた設計にすることが、発明が解決しようとする課題となった。入れ歯の係止・離脱方向が残存歯牙の歯軸方向に一致しないと、残存歯牙の支持組織が破壊され、ひいてはこの残存歯牙寿命を短縮させるからである（図８）。
【発明が解決しようとする課題】
【００４３】  該垂直鉤腕部の装着・離脱方向を残存歯牙の長軸方向と一致させた設計にすることにより、患者さんが歯牙欠損部に該入れ歯を装着させるとき、あるいは外すとき該入れ歯のクラスプ形体は、クラスプを掛けた該歯牙の長軸方向と装着・離脱方向が一致する。このことが、発明が解決しようとする課題となった。（図３）
【発明を実施するための形体】
【００４４】  クラスプを掛けた該歯牙の長軸方向と装着・離脱方向を一致させるこの物理学的な理論に基づく発想を活用することで鉤歯の歯牙寿命を損ねることを大幅に無くすことが出来ると考えられ、この発明を実施するための形体となった。クラスプの着脱時、該歯牙の長軸方向に作用点が移動するため該歯牙に掛かる力学的負担を大幅に減少させることが出来るからである。
【００４５】  患者さんが該部分入れ歯を装着したい時には装着できて、この入れ歯を歯牙欠損部から外したい時には外すことが出来る様にするためには、該ワイヤーの一端を合成樹脂床部に封止  （２３）させ、この該ワイヤーの他端部を残存歯牙隣在歯同士の歯冠歯列間隙同士の峡部（３）を揺動させ、該ワイヤーの他端部に長楕円球状部（１９）を取付け、この長楕円球状部で、隣接歯牙歯列の歯牙歯根同士の間隙（２０）を封止させることが発明を実施するための形体となった。
【発明の開示】
【発明が解決しようとしている課題】
【００４６】  部分入れ歯クラスプの従来材には、残存歯牙歯列の歯牙歯冠同士の間隙を揺動させることが出来る細いワイヤー材はこれまで市場には見られなかった。しかし、従来材に見られない低弾性係数高引張強度特性を示すチタン合金ワイヤーが直径０、７ｍｍから０，１ｍｍ刻みで製品化され市場化された。発明者はこの新製品の直径の異なったワイヤーを用いて、クラスプ材としての応用法について、欠損歯牙症例の模型を用いて考察をおこなったところ、残存歯牙歯列の歯牙隣在歯同士の歯冠歯列間隙同士の峡部（３）を通過させることが出来る事を確認できた。しかしこのワイヤーを揺動させることが出来ても、係止させることが出来る様にすることが、発明が解決しようとしている課題になった。
【課題を解決するための手段】
【００４７】  細くても強度がある新素材チタン合金ワイヤーを残存歯牙歯列の隣接歯牙歯根同士の間隙（２０）を揺動させたいときには揺動させることが出来て、このワイヤーを係止させたいときには係止させることが出来る様に仕立てることが課題を解決するための手段となった。
【００４８】  残存歯牙歯列の隣接歯牙歯冠同士の間隙峡部を直径０、７ｍｍの該チタン合金ワイヤーを揺動させることが出来るが、このチタン合金ワイヤーの先端方向には隣接歯牙歯冠同士の間隙（図３）があって、この部分の間隙の横幅は、１，２ｍｍ〜１，６ｍｍと該チタン合金ワイヤー直径よりもやや広く、寸法的に僅かに余裕があるため、この部を利用し課題を解決するための手段とさせた。すなわち、該ワイヤーの先端部に長楕円球状部の長軸方向をワイヤーに一致させて取り付け、この長楕円球状部（１９）により隣接歯牙歯根同士の間隙（２０）で係止させることによって、該ワイヤーを係止させたい時には係止させることが出来て、揺動させたい時には、揺動させることが可能になって、課題を解決するための手段とさせることが出来る。
【００４９】  このように、該入れ歯を上下に移動させることによって、すなわち、やや余分に歯牙欠損部の軟組織受容部に力を掛けると、該入れ歯を容易に外すことが出来る。また、該入れ歯を残存歯牙欠損部に装着させて、歯牙歯軸方向に該入れ歯を嵌め込むと、垂直鉤のワイヤー部の低弾性特性により、隣接歯牙歯根同士の間隙峡部を、長楕円球状部が引っ張って誘導させるため、患者さんが行う装着脱着時に行う操作は長楕円球状部（１９）が揺動可能になり、患者さん自身が係止させることも揺動させることも可能になる。この突起状の形体部が隣接歯牙同士の歯間部で封止を可能に仕立てることで課題を解決させることが出来る。
【００５０】  超高齢者にとって口腔からの食物の摂取すなわち、咀嚼・嚥下機能の保持、回復はますます重要になっている。我が国ばかりでなく隣国の中国でも超高齢化現象が進み、現状寝たきり老人が２千万人にも達しているとも伝えられている。我が国で部分床入れ歯装着者から旬日を得ず、総入れ歯装着者になること防ぐためには、新素材の産業上の活用法をすすめ新素材の特性を活かした新たなクラスプ形体を考案し、世界各国に先駆けて普及をはかることが、発明が解決しようとしている課題となっている。何故ならこのようにチタン合金新素材の平和利用では我が国が世界最先端を走っているからである。
【００５１】  垂直鉤（１８）の先端部に長楕円球状部（１９）を同形体部の長軸方向をワイヤー方向に合致させて取付けると、患者さんが当該部に係止させたい時には係止できて、該入れ歯を歯牙欠損部から外したい時には外すことが出来る様にさせることが可能になり、産業上の利用可能性この場合は臨床応用の道を拓くことが出来た。
【００５２】  また該患者さんが装着した入れ歯を外したい時には、該入れ歯を揺動させると、該入れ歯は垂直方向に沿って移動するため、係止していた入れ歯を容易に残存歯牙歯列から
揺動が可能となり口腔外に取り出すことが出来る。長楕円球状部の最大径１，４ｍｍと該ワイヤーの直径０，７ｍｍのわずかな差が入れ歯の口腔内への装着と口腔外への離脱とを制御させている。このように仕立てることで入れ歯の合成樹脂床部の隅角部（２９）などが、歯牙欠損部の粘膜に食い込むなどの事態を無くすことを主要な特徴とさせることが出来る（図１３）。
【００５３】  該ワイヤーの先端部に長楕円球状部（１９）を取付けテーラーメード化、すなわち標準化部材にさせて供給すると、歯科技工所側はチタン加工に必要な特別な機械、設備を導入する必要が無くなり、該新素材ワイヤーを直接臨床に応用することが可能になる。この標準化部材を生産するための、歯科専用Ｎｄ−ＹＡＧレーザーチタン熔接機（図１２）として我が国の歯科市場で採用された機種は、殆ど外国からの輸入品で以下に示すようなメーカーにより、Ｄｅｎｔａｕｒｕｍ−ＤＬ２０００，  Ｇｉｒｒｂａｃｈ／Ｎｅｏｌａｓｅｒ−Ｌ，  Ｈｅｒａｐｕｌｓ，ＢＥＧＯ・ＬａｓｅｒＳｔａｒなどが輸入され、我が国の歯科技工所で採用されているが、我が国の製品としては，Ｔａｎａｋａ社製ＴＴＬ−７０００の一社のみが市場に出荷しているのが、この市場の現況となっている。
【非特許文献】
2016214811.tif 000003
【発明の概要】
【発明が解決しようとする課題】
【００５４】  部分床入れ歯の製造は、患者さんからの依頼を受けると歯科医師が患者さんの口腔内を診断し所定の処置を行い、歯科技工指示書を記載し、歯科技工士に該入れ歯の該クラスプの製作をまかせている。しかし、歯科技工士が行う従来型のクラスプ屈曲工程は従来材である高弾性係数低引張強度ワイヤー素材（１）を用いておこなう手つくり作業に任され、作業者の熟練度に大きく依存していた。従来材を用いてのこの作業の習得は歯技工士学校３年間では不可能で、卒後少なくとも数年は要する過酷な手つくり技能である（図５）。この様な厳しい状況から歯科技工士学校を卒業はしたものの、歯科技工業に従事することを断念し転職せざるを得ないなどの深刻な状況を招いていて、このことも発明が解決しようとする課題となった。
【課題を解決するための手段】
【００５５】  本発明はこのような歯科技工士の行う従来の手つくり加工工程における技能習得の困難さが有していた課題から解放させ、歯科技工士に対し優れた新素材の臨床導入に道を拓き、従来材を用いていた手つくり加工から脱却させて、該新素材製部材が有する物理的な特性を活かして臨床に応用させようとしたものである。従来法では鉤腕部と合成樹脂床部の連結には鉤体部を介在させていた。しかし、本発明では素材に採用した低弾性係数高強度チタンモリブデンスズワイヤーの機能性を十分活用させることにより、鉤体部を製作する工程を省略させることが出来た。従って鉤体部と鉤腕部の接合工程、また鉤体部と合成樹脂床の接合工程などの複数の作業工程数を省略させることが可能になり、クラスプ製作技能を歯科技工士学校３年間の在学中においても容易に習得可能にさせる事を可能にさせる道を拓いた。
【発明が解決しようとしている課題】
【００５６】  超高齢者には口腔からの食物の摂取すなわち、咀嚼・嚥下機能の保持、回復はますます重要になっている。我が国ばかりでなく隣国の中国でも超高齢化現象が進み、寝たきり老人が２千万人にも達しているとも伝えられている。我が国で部分床入れ歯装着者から旬日を得ず、総入れ歯装着者になること防ぐためには、新素材を歯科技工業界に導入し、新素材の特性を活かした新たなクラスプ形体を考案し、世界各国に先駆けて普及をはかることが、発明が解決しようとしている課題となっている。
【００５７】  歯牙欠損部を補綴することが出来て、部分入れ歯を残存歯牙歯列に該患者さんが安定して装着できて、該患者さんが取り外したいときには残存歯牙や口腔軟組織を傷めることなく直ちに取り出すことが出来る装置が求められていた。この装置は他者が観察者となって観察するとき、該患者さんのこの開発した部分床入れ歯が装着された歯牙歯列に対し審美的な障害をきたすことが無い装置が望まれる。これらの問題も発明が解決しようとしている課題となった。
【発明の効果】
【００５８】  該低弾性係数高引張強度新素材であるチタンモリブデンスズワイヤー（２）の一端にはチタン材あるいは金合金材、もしくは合成樹脂材などを用いて形体を長楕円球状部にして長径をワイヤーの方向に沿って取付けるなどとした上で、チタンモリブデンスズワイヤーの長さを６０ｍｍから１００ｍｍとして、合成樹脂床部分入れ歯のクラスプ部材として供給する。
【００５９】  この合成樹脂床部分入れ歯用クラスプ部材の革新的な性能すなわち素材としてワイヤーの弾性係数が極めて低く高強度を示す特性から、患者さんの隣接歯牙同士の歯冠同士の峡部を封止させることが出来るため、このワイヤーの先端部に長楕円球状部（１９）を取付け歯牙歯根同士の間隙（２０）を封止させることによって該部分床義歯の安定維持を計ることが出来る。
【００６０】  クラスプ鉤腕部ワイヤーの従来材料を新素材に代えて、この新素材の特性を活かして口腔内の歯牙と歯列の形体を観察し、新たなクラスプ形体を発明するとともにテーラーメード製品に仕立てることを発案した。超高齢社会を迎え、実用化出来れば巨大な需要は我が国ばかりでなく世界的な広がりが予想され、かつ将来資源枯渇問題が叫ばれている歯科用金属の貴金属資源の解消、あるいは従来型歯科用金属の金属アレルギー疾患誘因問題の解消になる。
【図面の簡単な説明】
【００６１】
【図１】従来型合成樹脂床部分入れ歯のクラス鉤腕部と鉤体部
【図２】本開発部材と従来材のバネ材としての性能
【図５】従来型のクラスプは鉤腕部および鉤体部とも、歯科技工士による手つくり作業
【図６】従来材料型精密鋳造法：蝋型を鋳型材に埋没して、蝋型を焼却して出来た空洞に金属を溶かして流し込む転写加工
【図７】精密鋳造法により鉤体部を製作：鉤体部嵌め込み溝に鉤腕部を嵌め込み火炎溶接
【図８】従来型低品質のクラスプは鉤歯歯牙寿命を短縮：高弾性係数で太いクラスプワイヤーは歯牙の側方力として働き歯牙を揺動するため、歯牙支持組織を破壊する
【図９】年齢階級別補綴種類装着状況：歯科社会保険請求点数を５歳刻みの年齢階級別に補綴種類別に修復した分類した統計
【図１０】顎骨組織が十分にあって、良好な入れ歯を製作できる症例（左）と入れ歯製作困難症（右）、（下顎例）
【図１１】歯列の水平方向から垂直鉤を観察した時
【図１２】Ｎｄ−ＹＡＧレーザー精密チタン溶接機
【図１３】両側臼歯部欠損症例（離脱時と装着時）
【図１４】歯牙の欠損形体
【符号の説明】
【００６２】１．鉄コバルトクロムワイヤーや金合金、白金合金ワイヤー：従来材
２．チタンモリブデンスズワイヤー：新素材
３．歯牙隣在歯同士の歯冠歯列間隙同士の峡部
４．鉤腕部
５．溶解金属
６．蝋型
７．歯科用金属鋳造体
８．鉤体部
９．嵌め込み溝
１０．火焔溶接
１１．一体化された鉤体部：クラスプ
１２．歯牙支持組織
１３．総入れ歯装着者
１４．ブリッジ装着者
１５．部分入れ歯装着者
１６．顎堤
１７．顎骨
１８．垂直鉤
１９．長楕円球状部
２０．歯牙歯根同士の間隙
２１．残存歯牙歯列の舌側部
２２．部分床入れ歯
２３．合成樹脂床に封止
２４．歯冠頂部の歯冠間隙峡部
２５．顕微鏡
２６．覗き窓
２７．印加電圧、照射時間調節器
２８．手を入れる窓
２９．合成樹脂床部の隅角部
【図１】
2016214811.tif 000004
【図２】
2016214811.tif 000005
【図３】
2016214811.tif 000006
【図４】
2016214811.tif 000007
【図５】
2016214811.tif 000008
【図６】
2016214811.tif 000009
【図７】
2016214811.tif 000010
【図８】
2016214811.tif 000011
【図９】
2016214811.tif 000012
【図１０】
2016214811.tif 000013
【図１１】
2016214811.tif 000014
【図１２】
2016214811.tif 000015
【図１３】
2016214811.tif 000016
【図１４】
2016214811.tif 000017
【手続補正書】
【提出日】平成27年7月3日(2015.7.3)
【手続補正１】
【補正対象書類名】明細書
【補正対象項目名】００６１
【補正方法】変更
【補正の内容】
【００６１】
【図１】従来型合成樹脂床部分入れ歯のクラス鉤腕部と鉤体部
【図２】本開発部材と従来材のバネ材としての性能
【図３】テーラーメード型垂直鉤：部分床入れ歯の着脱方向と垂直鉤の着脱方向は平行
【図４】従来型クラスプ形体の鉤腕部（白色）と鉤体部（黒色）：鉤腕部の形体はすべてリング状あるいはその形体の変種
【図５】従来型のクラスプは鉤腕部および鉤体部とも、歯科技工士による手つくり作業
【図６】従来材料型精密鋳造法：蝋型を鋳型材に埋没して、蝋型を焼却して出来た空洞に金属を溶かして流し込む転写加工
【図７】精密鋳造法により鉤体部を製作：鉤体部嵌め込み溝に鉤腕部を嵌め込み火炎溶      接
【図８】従来型低品質のクラスプは鉤歯歯牙寿命を短縮：高弾性係数で太いクラスプワイヤーは歯牙の側方力として働き歯牙を揺動するため、歯牙支持組織を破壊する
【図９】年齢階級別補綴種類装着状況：歯科社会保険請求点数を５歳刻みの年齢階級別に補綴種類別に修復した分類した統計
【図１０】顎骨組織が十分にあって、良好な入れ歯を製作できる症例（左）と入れ歯製作困難症（右）、（下顎例）
【図１１】歯列の水平方向から垂直鉤を観察した時
【図１２】Ｎｄ‐ＹＡＧレーザー精密チタン溶接機
【図１３】両側臼歯部欠損症例（離脱時と装着時）
【図１４】歯牙の欠損形体
【符号の説明】
【手続補正書】
【提出日】平成27年7月30日(2015.7.30)
【手続補正１】
【補正対象書類名】特許請求の範囲
【補正対象項目名】全文
【補正方法】変更
【補正の内容】
【特許請求の範囲】
【請求項１】
直径０，５ｍｍから０．８ｍｍの範囲にあるチタンモリブデンスズの金属元素からなる合金ワイヤーおよびチタンモリブデンジルコニウムアルミニウムの成分からなる合金ワイヤーの一端に長さ１，４ｍｍから１．８ｍｍの範囲にあって、最大豊隆径２．０ｍｍのＣＰチタン材製の長楕円球状部を、長軸方向をワイヤーの向く方向に沿って、取り付けた長さ５０ｍｍから１００ｍｍの範囲にある該長楕円球状部を該ワイヤーに取付けた該低弾性係数高強度ワイヤークラスプ部材
【請求項２】
直径０，５ｍｍから０．８ｍｍの範囲にあるチタンモリブデンスズの成分からなる合金ワイヤーおよびチタンモリブデンジルコニウムアルミニウムの成分からなる合金ワイヤーの一端に長さ１，４ｍｍから１．８ｍｍの範囲にあって、最大豊隆径２．０ｍｍの合成樹脂製の長楕円球状部を、長軸方向をワイヤーの向く方向に沿って、長さ５０ｍｍから１００ｍｍの範囲にある該ワイヤーに取付けた該低弾性係数高強度ワイヤークラスプ部材
【請求項３】
直径０，５ｍｍから０．８ｍｍの範囲にあるチタンモリブデンスズの成分からなる合金ワイヤーおよびチタンモリブデンジルコニウムアルミニウムの成分からなる合金ワイヤーの一端に長さ１，４ｍｍから１．８ｍｍの範囲にあって、最大豊隆径２．０ｍｍのＣＰチタン材製の長楕円球状部を、長軸方向をワイヤーの向く方向に沿って、長さ５０ｍｍから１００ｍｍの範囲にある該ワイヤーにチタン精密溶接機を用いて、溶け込み溶接して取付けた該低弾性係数高強度ワイヤークラスプ部材
【請求項４】
直径０，５ｍｍから０．８ｍｍの範囲にあるチタンモリブデンスズの成分からなる合金ワイヤーおよびチタンモリブデンジルコニウムアルミニウムの成分からなる合金ワイヤーの一端に長さ１，４ｍｍから１．８ｍｍの範囲にあって、最大豊隆径２．０ｍｍの金銅合金製の長楕円球状部を、長軸方向をワイヤーの向く方向に沿って、長さ５０ｍｍから１００ｍｍの範囲にある該ワイヤーに継手溶接して取付けた該低弾性係数高強度ワイヤークラスプ部材
【請求項５】
直径０，５ｍｍから０．８ｍｍの範囲にあるチタンモリブデンスズの成分からなる合金ワイヤーおよびチタンモリブデンジルコニウムアルミニウムの成分からなる合金ワイヤーの一端に長さ１，４ｍｍから１．８ｍｍの範囲にあって、最大豊隆径２．０ｍｍの金銅合金製の長楕円球状部を、長軸方向をワイヤーの向く方向に沿って、長さ５０ｍｍから１００ｍｍの範囲にある該ワイヤーに，Ｎｄ‐ＹＡＧチタンレーザー溶接機を用いて継手溶接或いは溶け込み溶接を用いて取付けた該低弾性係数高強度ワイヤークラスプ部材
【手続補正２】
【補正対象書類名】明細書
【補正対象項目名】全文
【補正方法】変更
【補正の内容】
【発明の詳細な説明】
【技術分野】
【０００１】歯科医療分野における部分床入れ歯のクラスプに関するものである。
【背景技術】
【０００２】  歯科医療補綴分野の合成樹脂床部分入れ歯には残存歯牙にクラスプを付し入れ歯の係止作用の役目を担わせているが、このクラスプ材料には、高弾性係数低引張強度材料である鉄コバルトクロムワイヤーや金合金、白金合金ワイヤー（１）が従来、用いられてきた。これらの材料のバネ材としての性能はクラスプとしての要求を満たすには程遠くこのクラスプを掛けた歯牙の寿命を短縮させていた。【０００３】  我が国では超高齢化社会を迎え、超高齢者の摂食機能の維持保全が強く求められている。本発明は歯科補綴分野の部分入れ歯の従来型クラスプ形体（図１）に代わる新素材応用形体に関する。
【先行技術分野】
【０００４】  下記著作者らは斯界を代表する学者で大学教授であるが、パーシアルデンチャーすなわち部分床入れ歯のクラスプ材料となる画期的な新素材である低弾性係数高引張強度があるチタンモリブデンスズワイヤー材およびチタンモリブデンジルコニウムアルミニウムワイヤー材（２）については、この書では取り上げていない。
【非特許文献】野首考嗣、五十嵐順正箸、クイントエッセンス社出版、現代のパーシアルデンチャー・欠損補綴の資料、２００４年８月
【０００５】  従来のクラスプ材料は他種金属合金が用いられてきた。これらの金属とクラスプ材料としての重要な要件となる、弾性係数、引張強度をメーカー名とともに引用し、提示したい（図２）。
【発明の開示】
【０００６】  これらの高弾性係数低引張強度材料である鉄コバルトクロムあるいは金合金、白金加金などの旧材料に代わり、低弾性係数高引張強度特性を示すチタンモリブデンスズおよびチタンモリブデンジルコニウムアルミニウムからなるワイヤー（２）新素材が登場し、医薬品医療機器総合機構より医療材料として承認を取得し発売された。この従来材には類を見ない新素材の低弾性高引張強度特性を活かして、直径０，７ｍｍの細いワイヤーを用いて本発明品に仕立てると、歯牙隣在歯同士の歯冠歯列間隙同士の峡部（３）で揺動させることが可能となり、従来型のクラスプの性能に無い画期的なクラスプにすることを最も主要な特徴とすることが出来る（図３）。
【発明が解決しようとする課題】
【０００７】  低弾性係数高強度特性を有する新素材が登場するまでは、クラスプとしての性能を満たすには不充分な旧來材料ワイヤー（１）の高弾性係数低強度特性を補うため、前世紀初頭から今世紀にわたり、応用するクラスプの対象歯牙種が前歯用、犬歯用、臼歯用などと、また、対象症例の歯牙の欠損部が、すなわち前歯部であるか臼歯部であるかによって、或いは機能性を重視した形体か、機能性とともに審美性回復を加味した形体かなどによって約２０種類のクラスプが考案されてきた（図４）。
【０００８】  人類の歯牙の形体を比較解剖学的に考察すると、人類の摂食対象物が雑食性であるため前歯、犬歯、小臼歯、大臼歯など形体的に分化し、それぞれの歯種が摂食食物に対応した形体に進化してきた。すなわち前歯は切断し摂取する機能を、犬歯は咬み砕く機能を、臼歯は噛み潰す機能などとそれぞれの役割を分担し、それに応じて形体も機能に適応している。このため従来型のクラスプは、応用する歯牙種に応じて、前歯用、犬歯用、臼歯用などとその歯種に応じて、また歯牙の欠損形体に対応して多くの種類（図４）が開発されてきた。
【０００９】  以下、（図１）を用いて従来の欠損歯牙部分を補綴するための従来型ワイヤークラスプ付き合成樹脂床入れ歯について説明する。従来の欠損歯牙部を補綴する合成樹脂床に取り付けられていたクラスプは該患者さんの口腔内に残っている歯牙に入れ歯を係止させる役目を担わせていたが、この従来型の製作材料には高弾性係数低強度鉄クロムニッケル合金ワイヤー（１）類や同じく貴金属材料からなるワイヤー材などを歯科技工士が直接手つくり作業で、該歯牙を複製した石膏模型に合わせて、従来型素材のワイヤーを屈曲させるなどとしてクラスプ鉤腕部を製作していた。（図５）
【００１０】  他方では金パラジウム合金材を用いて精密鋳造法（図６）により鉤体部（８）を鋳造し、この鉤体部に嵌め込み溝（９）を立接して、この嵌め込み溝に該高弾性係数低強度鉄クロムニッケル合金ワイヤー（１）などの製品を嵌め込み、両部材を火焔溶接（１０）により一体化（１１）させて、こうして出来たクラスプ部分を合成樹脂床部分に埋め込むことにより、両部との接合を図るなど複雑な工程を、歯科技工士は終始手つくり作業により製作してきた（図７）。
【００１１】  部分床入れ歯を口腔内の定位置に係止する機能を果たすクラスプ材として、性能的な問題はコバルトクロム合金ワイヤーの低値の引張強度を補うため、直径１，２ｍｍ以上の太いワイヤーを使わざるを得ない状況下におかれていた。歯科技工士が手づくり作業で屈曲している（図５）ため、これらの数値以下の細いワイヤーを応用すると、これらのいずれの従来材も素材自身の強度不足から屈曲作業中に高頻度で折損させてしまうからである。
【００１２】  本発明は超高齢社会化とともに生活の質を維持する上で重要な器官である、歯牙の欠損症に応用され入れ歯修復のニーズに応える部分入れ歯のクラスプ部材に関する。この部分入れ歯の主要部材として従来材製の鉄コバルトクロム合金ワイヤークラスプ（１）が永年にわたり用いられてきた。手づくり作業で行う、この屈曲作業の折損事故を防ぐには金合金材のワイヤーや、白金加金ワイヤーが望まれたが、これらは貴金属材料であって、患者さんが負担する治療費に跳ね返るため、歯科医療機器市場から見た全体の使用量はごく限られている。
【００１３】  しかし、貴金属製合金ワイヤーを含めたこれらの従来型材料はバネ材としての性能は不十分で、この材料を用いて製作されたクラスプを応用した部分入れ歯（図１）を装着した患者さんの多くは、このクラスプ材の高い弾性係数により、このクラスプをかけた歯牙の多くが、当該歯牙支持組織（１２）を損ねるため、該入れ歯装着後短期間で該歯牙が抜歯の止む無きに至る症例が極めて多くなっているばかりでなく、後述する如くその一部は重篤な継発症を招いている。（図８）
【００１４】  このため該患者さんは短期間に、新たに部分入れ歯の作り替えをせざるをえず、作り変えても、この作り替えた入れ歯のクラスプ（１１）も同じく、歯牙支持組織を損ね（図８）同じことの繰り返しによって、また次の歯牙を犠牲にするため、この状況の多数回の繰り返しを、緊急に解決させる必要がある。この弾性の劣るバネ材クラスプと旧来型のクラスプ形体が、短期間に多くの総入れ歯装着者（１３）を増加させている現状を招いている（図９）。
【００１５】  この医療経済研究機構による統計（図９）は、歯科医療機関においておこなわれた補綴関連診療費が歯科医療保険診療請求書として社会保険庁に送られ、歯科医療機関に支払われた診療内容に関する予後成績を集計し分析したものである。統計は保険加入者全員を５歳刻みで分類し、歯科補綴物装着者を冠ブリッジ装着者（１４）、部分床入れ歯装着者（１５）、総入れ歯装着者（１３）と、それぞれの補綴種類ごとに分類し、それらの補綴種類ごとの経過を、５歳刻みで経年的に補綴物種類が変わる変化を統計的に処理し、折れ線グラフに仕立てている。
参考資料：【非特許文献】（財）医療経済研究機構  １９９８年医療経済研究報告書
【００１６】  この統計によると、被保険者が３０歳代から６０歳台くらいまでの間は、歯牙欠損部に対し冠ブリッジによる補綴治療が行われているが（１４）、５０歳代から６０歳台にかけては、残存歯牙数が減少すると、冠ブリッジによる補綴処置は出来なくなるために、部分入れ歯による補綴治療に代っている（１５）。注目すべきは、この年代の部分入れ歯装着者がその後、短期間に総入れ歯装着者（１３）になっていることである。このことは、現状行われている健康保険給付型部分入れ歯は、残存歯牙寿命を保護することが出来ず、歯牙補綴治療の終末治療である総入れ歯患者を増加させていることを意味している。（図９）
【発明が解決しようとする課題】
【００１７】  加えて問題は総入れ歯装着者を増やすのみならず、従来型のクラスプ用ワイヤー材の高弾性特性と従来型クラスプの形体により、該歯牙支持組織（１２）を側方方向から激しく揺動するため、歯牙支持組織を傷め、歯牙を支えている顎骨組織の吸収を招いている。その結果、中には顎骨組織が広範に失われ、入れ歯製作困難症（図１０）を継発させている。総入れ歯製作は、歯科医師および歯科技工士が、顎骨をＵ字型に両側から挟み込む形状に仕立てることが出来ると、良好な総入れ歯に仕立てることが出来る。これに反して一旦、顎骨が吸収されてしまった症例は、入れ歯製作困難症（図１０）と称され、総入れ歯製作は極めて困難な症例を続発させている。
【００１８】  従来は部分床入れ歯を口腔内で安定的して咀嚼機能や発音機能を発揮させるために、部分入れ歯にクラスプ（１１）を付設し、このクラスプを残存歯牙に掛けることによって入れ歯を、口腔内に係止させ安定して維持させようとしていた。しかし、上記したごとくこのクラスプ材料に画期的な新素材が登場する以前には、この１００年間におよそ２０種類のクラスプ形体（図４）が発表されてきた。
【発明が解決しようとする課題】
【００１９】  しかし、いずれのクラスプ形体も、これらのクラスプを製作する材料は旧来材料で高弾性係数低強度材料が採用され、クラスプ材を構成するワイヤー径は１．２ｍｍ以上の線径の太い材料が用いられていたため、ワイヤー材の高弾性特性と併せて該歯牙支持組織（１２）を傷めていた。（図８）材料学的には１，２ｍｍと云う太いワイヤー径を、径０，７ｍｍの細くても低弾性特性のあるチタンモリブデンスズ合金ワイヤーおよびチタンモリブデンジルコニウムアルミニウムワイヤー（２）新素材に代替させることにより、歯牙同士の歯冠間隙峡部を通過させ、揺動させることを可能にさせることが、発明が解決しようとする課題となっていた。
【００２０】  我が国の平均寿命は、１９６０年代には男性６５歳、女性７０歳であった。しかし２０１３年の男性の平均寿命は８０歳、女性の平均寿命は８６歳となって、現在世界的にも超最高齢社会になったと云われているが、上述の如く８０歳台前半で残存歯牙数は現在１２本となっている。インプラントによる修復は極めて限られていて、我が国ではこの年代の大多数の人々にとっては、総入れ歯が歯牙欠損補綴物による終末処置となっている。しかし、我が国の医療保険給付制度の従来材料クラスプ付き部分入れ歯製作に頼っている患者さんの中には少なからず、将来、歯科医師や歯科技工士に極めて総入れ歯製作を困難にさせている、入れ歯製作困難症（図１０）を引き起こしている。ここに発明が解決しようとする重要な課題がある。
【課題を解決するための手段】
【００２１】  上記した如く残存歯牙に掛けたクラスプが該歯牙支持組織の顎骨組織を吸収し、総入れ歯製作に重要な顎堤（１６）と称する部分を吸収させるため、平坦化させた顎堤（図１０）になり、この問題が入れ歯製作困難症患者の増加の主因となっている。我が国の急速な超高齢社会化に健康保険給付型部分入れ歯の残存歯牙寿命の保護対策は無力で、早急にクラスプ製作用材料を旧来材料より新素材に、クラスプの形体も旧来型形体から垂直鉤（１８）に代えることが課題を解決する手段となっている。
【００２２】  高弾性係数低強度鉄コバルトクロム合金ワイヤー（１）を材料にしたクラスプを用いている限り、この問題を解消させることは不可能であろう。課題を解決するための手段として部分床入れ歯のクラスプ用素材として、これまで使われてきた従来型素材に代わり低弾性係数高強度チタンモリブデンスズワイヤー素材あるいは低弾性係数高強度チタンモリブデンジルコニウムアルミニウムワイヤー素材（２）の活用法に期待がかかっている。
【００２３】  このチタンモリブデンスズワイヤーあるいは低弾性係数高強度チタンモリブデンジルコニウムアルミニウムワイヤー（２）新素材を用いると直径０，７ｍｍの細いワイヤーをテーラーメード化させることが可能になり、従来材による直径１．２ｍｍの太いワイヤーでは通過不可能な歯牙隣在歯同士の歯冠歯列間隙同士の峡部（３）を揺動させることが出来て、歯牙歯根同士の間隙（２０）において封止させることが出来る。すなわち入れ歯の安定維持を図ることを可能にさせるとともに、従来材では不可能な特性から、新素材に代えることによって、いずれも該歯牙寿命を損ねる課題を解決させる手段とさせることが出来る（図３）。
【発明が解決しようとする課題】
【００２４】  従来材製のワイヤークラスプ材は高弾性係数低引張強度から、クラスプ材料に採用されるためには、最も細い材料でも直径１．２ｍｍ以上の製品を応用せざるを得ないため、歯牙隣在歯同士の歯冠歯列間隙同士の峡部（３）を揺動させることは不可能であった。このためこのような細い歯列間隙を揺動させる試みはこれまで一切見られていない。従来は部分床入れ歯を口腔内に安定的に維持して装着させるためには、いずれのクラスプの形体も残存歯牙の歯冠部を囲穣するか、歯冠部に支点を設置する形体に設計（図４）されている。この事が、発明が解決しようとする課題になっていた。
【発明の開示】
【００２５】  このような状況下、歯科材料供給企業である山八歯科工業株式会社が医薬品医療機器器総合機構から、低弾性係数、高強度チタンモリブデンスズ合金ワイヤーについて歯科医療機器の部分床入れ歯用材料として承認を取得し市場化させた。申請者は同社より素材の提供を受け、この素材の特性を活かした形体すなわち垂直鉤を発明し、部分床入れ歯のクラスプに臨床応用させたところ、従来材では得られない目覚ましい臨床成果をあげることが出来た。すなわち、該クラスプを応用した該歯牙支持組織を痛めることなく守ることが可能になった。そして、該部分床入れ歯も歯牙欠損部に密着させることが出来た。
【発明が解決しようとしている課題】
【００２６】  これまでの発表されてきた従来型クラスプの形体は多い（図４）が、支点が該歯牙の歯軸から離れた歯冠部周辺にあって、作用点は該歯牙中心線から離れている歯冠部周辺にあることが多いもので占められていた。すなわち該歯牙の歯牙支持組織の側方組織に過重な負担をかけているものが多かった（図８）。上記した新素材を用いて、新たに開発した垂直鉤には応用した歯牙の歯牙組織に過重な負担を与えることの無いクラスプ形体を考案することが、発明が解決しようとしている課題となっていた。
【課題を解決するための手段】
【００２７】  このチタンモリブデンスズワイヤあるいはチタンモリブデンジルコニウムアルミニウムワイヤー新素材の市場への登場は、０，７ｍｍまで細くしても高引張強度特性から折れることが無く、かつ画期的な低弾性係数を示す特性は、該ワイヤーを歯牙隣在歯同士の歯冠歯列間隙同士の峡部（３）を揺動させることを可能にさせ、ワイヤーの先端部に装着した長楕円球状部（１９）により歯牙隣在歯同士の歯牙歯根同士の間隙（２０）を封止させて、該部分床義歯を口腔内の定位値に安定させるという課題を解決するための手段にさせることを可能にさせた。上記したごとくこのクラスプ材料に画期的な新素材が登場する以前には、この１００年間におよそ２０種類のクラスプ形体（図４）が発表されたが、このような歯牙隣在歯同士の歯牙歯根同士の間隙を封止させようとしたクラスプ形体はこれまでも、現在も類を見ないものであり、この発見が課題を解決するための手段となった。
【発明の開示】
【００２８】  これまで、いずれも歯牙隣在歯同士の歯冠歯列間隙同士の峡部（３）を垂直に通過させたクラスプは市場にもまた、文献的にも見られない。直径の太い従来材では、この歯牙隣在歯同士の歯冠歯列間隙同士の峡部（３）を揺動させることも、封止させることも出来なかったため、このことを着想する者がいなかったからである。
【発明が解決しようとしている課題】
【００２９】  歯牙欠損部を補綴することが出来て、部分入れ歯を残存歯牙歯列に該患者さんが安定して装着できて、該患者さんが取り外したいときには残存歯牙や口腔軟組織を傷めることなく直ちに取り出すことが出来る装置が求められていた。この装置は他者が観察者となって、患者さんの該歯列に装着された該開発品を観察するとき、審美的な障害となることが無い装置であることも望まれていてこの事が、発明が解決しようとしている課題となった。
【発明を実施するための最良の形体】
【００３０】  観察者が口腔内を観察するとき、患者さんの残存歯牙歯列の舌側部（２１）に該部分床入れ歯（２２）を設置し、該低弾性係数高強度チタンモリブデンスズワイヤーあるいはチタンモリブデンジルコニウムアルミニウムワイヤー（２）の端部は、歯牙歯列を越えて合成樹脂床舌側部に封止（２３）させていることが多い。観察者が該ワイヤーを残存歯牙歯列の水平方向から観察するときには（図１１）、該ワイヤーは隣接噛牙同士の歯冠頂部の歯冠間隙峡部（２５）を揺動して、歯牙隣在歯同士の歯冠歯列間隙同士の峡部（３）を揺動し、歯牙歯根同士の間隙（２０）を、該ワイヤーの先端部に取り付けた長楕円状部（１９）により封止させることが、発明を実施するための最良の形体となった。
【課題を解決するための手段】
【００３１】  該入れ歯を歯牙欠損部に装着させたい時には、該ワイヤーの先端部に取り付ける長楕円球状部で隣接歯牙歯根同士の間隙（２０）を封止させて、該ワイヤーの低弾性係数を活用し該ワイヤーを延長させる方向に引張り、該間隙に隣接歯牙歯根同士の間隙から外れていた長楕円球状部（１９）をこの間隙で係止させると、該ワイヤーは隣接歯牙歯根同士の間隙狭部で封止される。
【００３２】  しかし再度該ワイヤーを延長させる方向に引っ張ると、すなわち患者さんが該部分床入れ歯を、部分床入れ歯を支えている歯牙欠損部の軟組織受容部に力を掛けると、封止されていた該ワイヤーの先端部に取り付けられていた長楕円球状部（１９）が隣接歯牙歯根同士の間隙（２０）から外れ、封止されていた該入れ歯を容易に外すことが可能になり、課題を解決するための手段とさせることが出来る。（図３）
【発明が解決しようとしている課題】
【００３３】  我が国の青壮年層の歯周病罹患率や歯牙齲蝕率などにおいてのデーターを世界的な水準と比べると、ほぼ欧米先進国に追いつきつつある。しかし、これらの成果に比べ我が国の壮年層以上の年代の残存歯牙数については欧米先進国のそれと比較して比べものにならないほど格差が有りこの事実が、発明が解決せねばならない喫緊の課題となっている。
【００３４】  すなわち歯科医療健康保険制度下にある我が国の部分床入れ歯装着患者さんの多くは、短期間に残存歯を失い総入れ歯患者になっている（図９）。この問題は超高齢患者さんの生活の質に密接にかかわる、嚥下困難症ひいては嚥下性肺炎、胃瘻疾患等の引き金となって、これらの重症患者に対する保険金支払額は国民医療費増大を引き起こし、国家財政に深刻な課題を突き付けている。またこれらの患者さんの生活に対しても生活の質を脅かす大問題になっている。部分床入れ歯装着患者の部分床入れ歯をここで食い止め、上記した継発症などを発症しないようにすることが、発明が解決しようとしている課題にもなっている。
【発明が解決しようとする課題】
【００３５】  本発明は部分入れ歯製作分野におけるクラスプ材料である商品名ネオチタンワイヤーあるいはチタンモリブデンジルコニウムアルミニウムワイヤー（２）を用いて、これまでのクラスプの形体には無い、新たなクラスプ形体でその支点および作用点の両者とも当該歯牙の歯軸に一致させる設計に仕立てたもの（図３）である。従来材に無いこの設計思想により該歯牙の歯牙寿命を守るとともに、観察者の視線に対し本発明品の装着者がこうむる審美的課題等も、発明が解決しようとする課題になっている。
【００３６】  このクラスプの従来材料である、鉄コバルトクロム系合金ワイヤー素材（１）の弾性係数が高値で、かつ引張強度が低値であったのに対し、山八歯科工業株式会社製の新素材であるクラスプ用ワイヤーは弾性係数が低値で、かつ引張強度が高値なワイヤーであるＴｉ−１０Ｍｏ−９Ｓｎ（２）群が直径０，７ｍｍから、１，０ｍｍまで市販されている。本発明品はこれらの製品群の中から、歯牙解剖学的に最適な形状を選択し以下の如くの応用法を発明した。
【００３７】  山八社の製品は上記の各種すなわち最少直径０，７ｍｍより直径、０，１ｍｍ刻みの各種で断面円形の形状にしたワイヤーに仕立てている。そして、医薬品医機器総合機構に届出ている使用法欄には入れ歯のクラスプ用及び歯列矯正用とし、併用医療機器欄には矯正用医療機器材料とともに入れ歯材料と記載され、特に入れ歯の床用部材料と結合させるときには物理的に結合するようにして装置からの脱落を防止し、そして脱落した破片の誤飲を避けるように仕立てることと記載されている。
【００３８】  従来材製のクラスプは、弾性係数は高値で引張強度は低値なためバネ材としての特性が乏しかったため（図２）、この材料を用いて製作されたクラスプを材料に応用したときには鉤歯の寿命を短縮させてきたが（図８）、この新素材ワイヤーの登場により、このワイヤーの特性を活かした新たなクラスプ形体が求められることになった。この状況が、発明が解決しようとする課題になった。
【産業上の利用可能性】
【００３９】  山八歯科工業株式会社製のチタン合金ワイヤー材を応用してクラスプに仕立てるためには、解決すべき課題が残されている。チタン材の加工時には、切削あるいは溶着操作などといった被削材あるいは被溶接材となるチタン材は空気中の酸素と激しく化合反応をおこすため、この課題を解決するための手段を考慮する必要があった。本開発製品の購買者対象と想定される大多数の企業が、従業員数人から１０数人の零細な規模の多い歯科技工所で、該チタン合金ワイヤー材を応用可能にさせるためには、Ｎｄ−ＹＡＧレーザー−  精密チタン溶接機（図１２）など、大型の資金投資あるいは大掛かりな機械や設備を導入させることは難しいため、この問題に対して該チタン合金ワイヤーを如何にして供給するかが産業応用上の利用可能性の課題になった。【００４０】  チタン材を加工ができる環境はアルゴン等の不活性ガス雰囲気下の施設区画とかつ高度に空気と水が清浄な環境が必要になる。しかし、歯科医院や歯科技工所においては細菌学的には滅菌環境として厳重に管理されてはいるものの、このようなチタン加工に対応した環境も機器も準備されていないため、産業上の利用可能性には課題が残されている。
【発明を実施するための手段】
【００４１】  このような理由から、あらかじめ鉤腕部（４）と鉤体部（８）を一体化させた部材を供給して、発明を実施するための手段が考えられた。すなわち、不活性ガスを備えた機器類あるいは設備を構築することなく、後加工業者すなわち歯科技工業者に、特別な機器や設備を必要としなくても済むクラスプ鉤腕部をテーラーメード部材として発明し供給することを発案した。（図３）に示す如く、直接合成樹脂床に該ワイヤーを封止させることにより鉤体部を省くことが可能になり、テーラーメード型部材として供給させ鉤腕部ワイヤーを直接、合成樹脂床部に接合可能にさせる部材に仕立てて供給することが、産業上の利用可能性を考慮しつつ、また発明を実施するための手段となった。
【発明を実施するための形体】
【００４２】  本発明は部分入れ歯のクラスプに関するものである。このため、患者さんが歯牙欠損部に該入れ歯を係止させたい時には係止できて、この入れ歯を歯牙欠損部から離脱させたい時には離脱させることが出来なければならない。それには該入れ歯の係止、離脱方向を残存歯牙の長軸方向と一致させた設計にすることが、発明が解決しようとする課題となった。入れ歯の係止・離脱方向が残存歯牙の歯軸方向に一致しないと、残存歯牙の支持組織が破壊され、ひいてはこの残存歯牙寿命を短縮させるからである（図８）。
【発明が解決しようとする課題】
【００４３】  該垂直鉤腕部の装着・離脱方向を残存歯牙の長軸方向と一致させた設計にすることにより、患者さんが歯牙欠損部に該入れ歯を装着させるとき、あるいは外すとき該入れ歯のクラスプ形体は、クラスプを掛けた該歯牙の長軸方向と装着・離脱方向が一致する。このことが、発明が解決しようとする課題となった。（図３）
【発明を実施するための形体】
【００４４】  クラスプを掛けた該歯牙の長軸方向と装着・離脱方向を一致させるこの物理学的な理論に基づく発想を活用することで鉤歯の歯牙寿命を損ねることを大幅に無くすことが出来ると考えられ、この発明を実施するための形体となった。クラスプの着脱時、該歯牙の長軸方向に作用点が移動するため該歯牙に掛かる力学的負担を大幅に減少させることが出来るからである。
【００４５】  患者さんが該部分入れ歯を装着したい時には装着できて、この入れ歯を歯牙欠損部から外したい時には外すことが出来る様にするためには、該ワイヤーの一端を合成樹脂床部に封止（２３）させ、この該ワイヤーの他端部を残存歯牙隣在歯同士の歯冠歯列間隙同士の峡部（３）を揺動させ、該ワイヤーの他端部に長楕円球状部（１９）を取付け、この長楕円球状部で、隣接歯牙歯列の歯牙歯根同士の間隙（２０）を封止させることが発明を実施するための形体となった。
【発明の開示】
【発明が解決しようとしている課題】
【００４６】  部分入れ歯クラスプの従来材には、残存歯牙歯列の歯牙歯冠同士の間隙を揺動させることが出来る細いワイヤー材はこれまで市場には見られなかった。しかし、従来材に見られない低弾性係数高引張強度特性を示すチタン合金ワイヤーが直径０、７ｍｍから０，１ｍｍ刻みで製品化され市場化された。発明者はこの新製品の直径の異なったワイヤーを用いて、クラスプ材としての応用法について、欠損歯牙症例の模型を用いて考察をおこなったところ、残存歯牙歯列の歯牙隣在歯同士の歯冠歯列間隙同士の峡部（３）を通過させることが出来る事を確認できた。しかしこのワイヤーを揺動させることが出来ても、係止させることが出来る様にすることが、発明が解決しようとしている課題になった。
【課題を解決するための手段】
【００４７】  細くても強度がある新素材チタン合金ワイヤーを残存歯牙歯列の隣接歯牙歯根同士の間隙（２０）を揺動させたいときには揺動させることが出来て、このワイヤーを係止させたいときには係止させることが出来る様に仕立てることが課題を解決するための手段となった。
【００４８】  残存歯牙歯列の隣接歯牙歯冠同士の間隙峡部を直径０、７ｍｍの該チタン合金ワイヤーを揺動させることが出来るが、このチタン合金ワイヤーの先端方向には隣接歯牙歯冠同士の間隙（図３）があって、この部分の間隙の横幅は、１，２ｍｍ〜１，６ｍｍと該チタン合金ワイヤー直径よりもやや広く、寸法的に僅かに余裕があるため、この部を利用し課題を解決するための手段とさせた。すなわち、該ワイヤーの先端部に長楕円球状部の長軸方向をワイヤーに一致させて取り付け、この長楕円球状部（１９）により隣接歯牙歯根同士の間隙（２０）で係止させることによって、該ワイヤーを係止させたい時には係止させることが出来て、揺動させたい時には、揺動させることが可能になって、課題を解決するための手段とさせることが出来る。
【００４９】  このように、該入れ歯を上下に移動させることによって、すなわち、やや余分に歯牙欠損部の軟組織受容部に力を掛けると、該入れ歯を容易に外すことが出来る。また、該入れ歯を残存歯牙欠損部に装着させて、歯牙歯軸方向に該入れ歯を嵌め込むと、垂直鉤のワイヤー部の低弾性特性により、隣接歯牙歯根同士の間隙峡部を、長楕円球状部が引っ張って誘導させるため、患者さんが行う装着脱着時に行う操作は長楕円球状部（１９）が揺動可能になり、患者さん自身が係止させることも揺動させることも可能になる。この突起状の形体部が隣接歯牙同士の歯間部で封止を可能に仕立てることで課題を解決させることが出来る。
【００５０】  超高齢者にとって口腔からの食物の摂取すなわち、咀嚼・嚥下機能の保持、回復はますます重要になっている。我が国ばかりでなく隣国の中国でも超高齢化現象が進み、現状寝たきり老人が２千万人にも達しているとも伝えられている。我が国で部分床入れ歯装着者から旬日を得ず、総入れ歯装着者になること防ぐためには、新素材の産業上の活用法をすすめ新素材の特性を活かした新たなクラスプ形体を考案し、世界各国に先駆けて普及をはかることが、発明が解決しようとしている課題となっている。何故ならこのようにチタン合金新素材の平和利用では我が国が世界最先端を走っているからである。
【００５１】  垂直鉤（１８）の先端部に長楕円球状部（１９）を同形体部の長軸方向をワイヤー方向に合致させて取付けると、患者さんが当該部に係止させたい時には係止できて、該入れ歯を歯牙欠損部から外したい時には外すことが出来る様にさせることが可能になり、産業上の利用可能性この場合は臨床応用の道を拓くことが出来た。
【００５２】  また該患者さんが装着した入れ歯を外したい時には、該入れ歯を揺動させると、該入れ歯は垂直方向に沿って移動するため、係止していた入れ歯を容易に残存歯牙歯列から揺動が可能となり口腔外に取り出すことが出来る。長楕円球状部の最大径１．４ｍｍと該ワイヤーの直径０，７ｍｍのわずかな差が入れ歯の口腔内への装着と口腔外への離脱とを制御させている。このように仕立てることで入れ歯の合成樹脂床部の隅角部（２９）などが、歯牙欠損部の粘膜に食い込むなどの事態を無くすことを主要な特徴とさせることが出来る（図１３）。
【００５３】  該ワイヤーの先端部に長楕円球状部（１９）を取付けテーラーメード化、すなわち標準化部材にさせて供給すると、歯科技工所側はチタン加工に必要な特別な機械、設備を導入する必要が無くなり、該新素材ワイヤーを直接臨床に応用することが可能になる。この標準化部材を生産するための、歯科専用Ｎｄ−ＹＡＧレーザーチタン熔接機（図１２）として我が国の歯科市場で採用された機種は、殆ど外国からの輸入品で以下に示すようなメーカーにより、Ｄｅｎｔａｕｒｕｍ−ＤＬ２０００，Ｇｉｒｒｂａｃｈ／Ｎｅｏｌａｓｅｒ−Ｌ，Ｈｅｒａｐｕｌｓ，ＢＥＧＯ・ＬａｓｅｒＳｔａｒなどが輸入され、我が国の歯科技工所で採用されているが、我が国の製品としては，Ｔａｎａｋａ社製ＴＴＬ−７０００の一社のみが市場に出荷しているのが、この市場の現況となっている。
【非特許文献】
2016214811.tif 000018
【発明の概要】
【発明が解決しようとする課題】
【００５４】  部分床入れ歯の製造は、患者さんからの依頼を受けると歯科医師が患者さんの口腔内を診断し所定の処置を行い、歯科技工指示書を記載し、歯科技工士に該入れ歯の該クラスプの製作をまかせている。しかし、歯科技工士が行う従来型のクラスプ屈曲工程は従来材である高弾性係数低引張強度ワイヤー素材（１）を用いておこなう手つくり作業に任され、作業者の熟練度に大きく依存していた。従来材を用いてのこの作業の習得は歯技工士学校３年間では不可能で、卒後少なくとも数年は要する過酷な手つくり技能である（図５）。この様な厳しい状況から歯科技工士学校を卒業はしたものの、歯科技工業に従事することを断念し転職せざるを得ないなどの深刻な状況を招いていて、このことも発明が解決しようとする課題となった。
【課題を解決するための手段】
【００５５】  本発明はこのような歯科技工士の行う従来の手つくり加工工程における技能習得の困難さが有していた課題から解放させ、歯科技工士に対し優れた新素材の臨床導入に道を拓き、従来材を用いていた手つくり加工から脱却させて、該新素材製部材が有する物理的な特性を活かして臨床に応用させようとしたものである。従来法では鉤腕部と合成樹脂床部の連結には鉤体部を介在させていた。しかし、本発明では素材に採用した低弾性係数高強度チタンモリブデンスズワイヤーおよびチタンモリブデンジルコニウムアルミニウムワイヤーの機能性を十分活用させることにより、鉤体部を製作する工程を省略させることが出来た。従って鉤体部と鉤腕部の接合工程、また鉤体部と合成樹脂床の接合工程などの複数の作業工程数を省略させることが可能になり、クラスプ製作技能を歯科技工士学校３年間の在学中においても容易に習得可能にさせる事を可能にさせる道を拓いた。
【発明が解決しようとしている課題】
【００５６】  超高齢者には口腔からの食物の摂取すなわち、咀嚼・嚥下機能の保持、回復はますます重要になっている。我が国ばかりでなく隣国の中国でも超高齡化現象が進み、寝たきり老人が２千万人にも達しているとも伝えられている。我が国で部分床入れ歯装着者から旬日を得ず、総入れ歯装着者になること防ぐためには、新素材を歯科技工業界に導入し、新素材の特性を活かした新たなクラスプ形体を考案し、世界各国に先駆けて普及をはかることが、発明が解決しようとしている課題となっている。
【００５７】  歯牙欠損部を補綴することが出来て、部分入れ歯を残存歯牙歯列に該患者さんが安定して装着できて、該患者さんが取り外したいときには残存歯牙や口腔軟組織を傷めることなく直ちに取り出すことが出来る装置が求められていた。この装置は他者が観察者となって観察するとき、該患者さんのこの開発した部分床入れ歯が装着された歯牙歯列に対し審美的な障害をきたすことが無い装置が望まれる。これらの問題も発明が解決しようとしている課題となった。
【発明の効果】
【００５８】  該低弾性係数高引張強度新素材であるチタンモリブデンスズワイヤーあるいはチタンモリブデンジルコニウムアルミニウムワイヤー（２）の一端にはチタン材あるいは金合金材、もしくは合成樹脂材などを用いて形体を長楕円球状部にして長径をワイヤーの方向に沿って取付けるなどとした上で、チタンモリブデンスズワイヤーおよびチタンモリブデンジルコニウムアルミニウムワイヤーの長さを６０ｍｍから１００ｍｍとして、合成樹脂床部分入れ歯のクラスプ部材として供給する。
【００５９】  この合成樹脂床部分入れ歯用クラスプ部材の革新的な性能すなわち素材としてワイヤーの弾性係数が極めて低く高強度を示す特性から、患者さんの隣接歯牙同士の歯冠同士の峡部を封止させることが出来るため、このワイヤーの先端部に長楕円球状部（１９）を取付け歯牙歯根同士の間隙（２０）を封止させることによって該部分床義歯の安定維持を計ることが出来る。
【００６０】  クラスプ鉤腕部ワイヤーの従来材料を新素材に代えて、この新素材の特性を活かして口腔内の歯牙と歯列の形体を観察し、新たなクラスプ形体を発明するとともにテーラーメード製品に仕立てることを発案した。超高齢社会を迎え、実用化出来れば巨大な需要は我が国ばかりでなく世界的な広がりが予想され、かつ将来資源枯渇問題が叫ばれている歯科用金属の貴金属資源需要の解消、また従来型歯科用金属の金属アレルギー疾患誘因問題の解消になる。
【図面の簡単な説明】
【００６１】
【図１】従来型合成樹脂床部分入れ菌のクラス鉤腕部と鉤体部
【図２】本開発部材と従来材のバネ材しての性能
【図３】テーラーメード型垂直鉤：部分床入れ歯の着脱方向と垂直鉤の着脱方向は平行
【図４】従来型クラスプ形体の鉤腕部（白色）と鉤体部（黒色）：鉤腕部の形体はすべてリング状あるいはその形体の変種
【図５】従来型のクラスプは鉤腕部および鉤体部とも、歯科技工士による手つくり作業
【図６】従来材料型精密鋳造法：蝋型を鋳型材に埋没して、蝋型を焼却して出来た空洞に金属を溶かして流し込む転写加工
【図７】精密鋳造法により鉤体部を製作：鉤体部嵌め込み溝に鉤腕部を嵌め込み火炎溶      接
【図８】従来型低品質のクラスプは鉤歯歯牙寿命を短縮：高弾性係数で太いクラスプワイヤーは歯牙の側方力として働き歯牙を揺動するため、歯牙支持組織を破壊する
【図９】年齢階級別補綴種類装着状況：歯科社会保険請求点数を５歳刻みの年齢階級別に補綴種類別に修復した分類した統計
【図１０】顎骨組織が十分にあって、良好な入れ歯を製作できる症例（左）と入れ歯製作困難症（右）、（下顎例）
【図１１】歯列の水平方向から垂直鉤を観察した時
【図１２】Ｎｄ−ＹＡＧレーザー精密チタン溶接機
【図１３】両側臼歯部欠損症例（離脱時と装着時）
【図１４】歯牙の欠損形体：発明品の応用対象歯牙欠損部
【符号の説明】
【００６２】    １．鉄コバルトクロムワイヤーや金合金、白金合金ワイヤー：従来材
２．チタンモリブデンスズワイヤーおよびチタンモリブデンジルコニウムアルミニウムワイヤー：新素材
３．歯牙隣在歯同士の歯冠歯列間隙同士の峡部
４．鉤腕部
５．溶解金属
６．蝋型
７．歯科用金属鋳造体
８．鉤体部
９．嵌め込み溝
１０．火焔溶接
１１．一体化された鉤体部：クラスプ
１２．歯牙支持組織
１３．総入れ歯装着者
１４．ブリッジ装着者
１５．部分入れ歯装着者
１６．顎堤
１７．歯槽骨
１８．垂直鉤
１９．長楕円球状部
２０．歯牙歯根同士の閧隙
２１．残存歯牙歯列の舌側部
２２．部分床入れ歯
２３．合成樹脂床に封止
２４．歯冠頂部の歯冠間隙峡部
２５．顕微鏡
２６．覗き窓
２７．印加電圧、照射時間調節器
２８．手を入れる窓
２９．合成樹脂床部の隅角部
【手続補正４】
【補正対象書類名】図面
【補正対象項目名】図２
【補正方法】変更
【補正の内容】
【図２】
2016214811.tif 000019
【手続補正５】
【補正対象書類名】図面
【補正対象項目名】図１４
【補正方法】変更
【補正の内容】
【図１４】
2016214811.tif 000020